(57)【要約】      （修正有）【課題】簡単に精度の良い製作が行なえる塀用パネルを提供する。【解決手段】塀用パネル１００は、左右一対の支柱の間に発泡プラスチック体１０５ａ〜１０５ｃが配置されている。発泡プラスチック体１０５ａ〜１０５ｃは、支柱の厚さ以下の厚さで支柱間の幅以下の板状に予め形成されている。左右一対の支柱には、２つの壁面パネル１０８が発泡プラスチック体１０５ａ〜１０５ｃを覆った状態で取り付けられている。２つの壁面パネル１０８は、発泡プラスチック体１０５ａ〜１０５ｃに対向する全面が接着剤によって発泡プラスチック体１０５ａ〜１０５ｃに貼り付けられている。壁面パネル１０８の外表面には、下地調整材層１１１、モルタル層１１２および塗料層１１３が形成されている。【選択図】図２
2017066601.tif 000002
【特許請求の範囲】
【請求項１】
互いに離隔した位置で対向して延びる左右一対の支柱と、
前記一対の支柱の厚さ以下の厚さでかつ同支柱間の幅以下の幅の板状に形成されて同支柱間に嵌められた発泡プラスチック体と、
前記発泡プラスチック体の両面をそれぞれ覆った状態で前記一対の支柱間に設けられた壁面パネルとを備えたことを特徴とする塀用パネル。
【請求項２】
請求項１に記載した塀用パネルにおいて、さらに、
前記壁面パネルの表面に形成されるモルタル層を有し、
前記壁面パネルは、
全面が前記発泡プラスチック体に接着されていることを特徴とする塀用パネル。
【請求項３】
請求項２に記載した塀用パネルにおいて、さらに、
前記壁面パネルと前記モルタル層との間に下地調整材層を有し、
前記下地調整材層は、
表面に凹凸を有して形成されていることを特徴とする塀用パネル。
【請求項４】
請求項１ないし請求項３のうちのいずれか１つに記載の塀用パネルにおいて、さらに、
前記一対の支柱間を互いに連結する横桟を備えることを特徴とする塀用パネル。
【請求項５】
請求項１ないし請求項４のうちのいずれか１つに記載の塀用パネルにおいて、さらに、
前記発泡プラスチック体と前記壁面パネルとの間に金属板からなる下地支持板を備え、
前記下地支持板は、
全面が前記発泡プラスチック体に接着されていることを特徴とする塀用パネル。
【請求項６】
請求項１ないし請求項５のうちのいずれか１つに記載の塀用パネルにおいて、さらに、
前記一対の支柱の上端部間に架設される発泡プラスチック製の下地笠木を備えることを特徴とする塀用パネル。
【発明の詳細な説明】
【技術分野】
【０００１】
本発明は、住宅や各種施設などの建物の周囲に設けられる塀や門柱を構築するための塀用パネルに関する。
【背景技術】
【０００２】
従来から、住宅や各種施設（例えば、病院、図書館または公民館など）の玄関前または建物の周囲には塀や門柱が設けられている。近年、これらの塀や門柱は、金属製の枠体の両面に金属製または樹脂製の板材を張り合わせたパネル状の塀用パネルによって構成されている。例えば、下記特許文献１には、金属製の枠体の両面に金属製または樹脂製の板材を張り合わせた中空状の基本パネル内部に発泡樹脂材を充填した塀用パネルが開示されている。
【先行技術文献】
【特許文献】
【０００３】
【特許文献１】特開２０１３−１１７１５１号公報
【０００４】
しかしながら、上記特許文献１に記載された塀用パネルにおいては、充填した発泡樹脂が漏れないように基本パネルの液密性を確保しなければならず基本パネルの製作が煩雑であるとともに、発泡樹脂材の発泡によって基本パネルのパネル面が膨らんで成形されることがあり精度の良い製作が困難であるという問題がある。
【０００５】
本発明は上記問題に対処するためなされたもので、その目的は、簡単に精度の良い製作が行なえる塀用パネルを提供することにある。
【発明の概要】
【０００６】
上記目的を達成するため、本発明の特徴は、互いに離隔した位置で対向して延びる左右一対の支柱と、前記一対の支柱の厚さ以下の厚さでかつ同支柱間の幅以下の幅の板状に形成されて同支柱間に嵌められた発泡プラスチック体と、発泡プラスチック体の両面をそれぞれ覆った状態で前記一対の支柱間に設けられた壁面パネルとを備えたことにある。
【０００７】
このように構成した本発明の特徴によれば、塀用パネルは、予め板状に形成した発泡プラスチック体を左右一対の支柱間に壁面パネルで両面から挟んだ状態で配置して構成しているため、従来技術における発泡樹脂の洩れや膨張を考慮する必要がない。このため、塀用パネルは、簡単に精度よく製作することができる。
【０００８】
また、本発明の他の特徴は、前記塀用パネルにおいて、さらに、壁面パネルの表面に形成されるモルタル層を有し、壁面パネルは、全面が発泡プラスチック体に接着されていることにある。
【０００９】
このように構成した本発明の他の特徴によれば、塀用パネルは、壁面パネルの全面が発泡プラスチック体に接着されているため、発泡プラスチック体と壁面パネルとの間に生じる隙間によって壁面パネルが発泡プラスチック体に対して近接する方向または離隔する方向（すなわち、パネル面に対して垂直方向）に変形することが防止される。これにより、塀用パネルは、壁面パネル上に形成したモルタル層の割れや欠けなどの損傷を防止して長期間に亘って美観を維持することができる。なお、この場合、モルタル層は、壁面パネル上に直接形成してもよいし、下地調整材を介して形成してもよい。
【００１０】
また、本発明の他の特徴は、前記塀用パネルにおいて、さらに、壁面パネルとモルタル層との間に下地調整材層を有し、下地調整材層は、表面に凹凸を有して形成されていることにある。
【００１１】
このように構成した本発明の他の特徴によれば、塀用パネルは、壁面パネルとモルタル層との間に表面に凹凸形状を有する下地調整材層が形成されているため、モルタル層の壁面パネルへの結合力が増大してモルタル層の割れや欠けなどの損傷を防止して長期間に亘って美観を維持することができる。
【００１２】
また、本発明の他の特徴は、前記塀用パネルにおいて、さらに、前記一対の支柱間を互いに連結する横桟を備えることにある。
【００１３】
このように構成した本発明の他の特徴によれば、塀用パネルは、一対の支柱間を互いに連結する横桟を備えているため、一対の支柱が枠状またはラダー状に構成されて塀用パネルの曲げや捻じりに対する剛性を向上させることができる。
【００１４】
また、本発明の他の特徴は、前記塀用パネルにおいて、さらに、発泡プラスチック体と壁面パネルとの間に金属板からなる下地支持板を備え、下地支持板は、全面が発泡プラスチック体に接着されていることにある。
【００１５】
このように構成した本発明の他の特徴によれば、塀用パネルは、発泡プラスチック体に対して全面接着された状態で金属板製の下地支持板が設けられているため、この下地支持板に郵便受けや照明器具などの重量物を安定的に取り付けることができる。
【００１６】
また、本発明の他の特徴は、前記塀用パネルにおいて、さらに、前記一対の支柱の上端部間に架設される発泡プラスチック製の下地笠木を備えることにある。
【００１７】
このように構成した本発明の他の特徴によれば、塀用パネルは、一対の支柱の上端部間に架設される発泡プラスチック製の下地笠木を備えているため、塀用パネルの上端部の重量化を抑えて塀用パネルを倒壊し難くすることができる。また、塀用パネルは、下地笠木に対して装飾物を突き刺すなどの方法によって容易に取り付けることができるため、塀用パネルを設置したユーザ自身で装飾物を取り付けてユーザ自身の好みの装飾を行うことができる。
【図面の簡単な説明】
【００１８】
【図１】本発明の一実施形態に係る塀用パネルの外観構成の概略を示す前方からの斜視図である。
【図２】図１に示す２−２線から見た塀用パネルの内部構造を示す断面図である。
【図３】図１に示す塀用パネルを構成する基本フレームの外観構成の概略を示す斜視図である。
【図４】図１に示す塀用パネルを構成する発泡プラスチック体の外観構成の概略を示す斜視図である。
【図５】図３に示す基本フレーム内に図４に示す発泡プラスチック体および下地笠木をそれぞれ嵌め込んだ組立過程を示す斜視図である。
【図６】図５に示す基本フレームに下地支持板を取り付けた組立過程を示す斜視図である。
【図７】図６に示す基本フレームに壁面パネルを取り付けた組立過程を示す斜視図である。
【図８】本発明の変形例に係る塀用パネルの外観構成の概略を示す前方からの斜視図である。
【図９】本発明の他の変形例に係る塀用パネルの外観構成の概略を示す前方からの斜視図である。
【発明を実施するための形態】
【００１９】
以下、本発明に係る塀用パネルの一実施形態について図面を参照しながら説明する。図１は、本発明に係る塀用パネル１００の外観構成の概略を示した斜視図である。また、図２は、図１における２−２線から見た塀用パネル１００の断面図である。この塀用パネル１００は、住宅の玄関前に短い塀状に起立した状態で設置される門柱である。
【００２０】
（塀用パネル１００の構成）
塀用パネル１００は、基本フレーム１０１を備えている。基本フレーム１０１は、図３に示すように、塀用パネル１００の骨格を構成する部品であり、アルミニウム製の角パイプ材で構成されている。この基本フレーム１０１は、主として、支柱１０２ａ，１０２ｂおよび横桟１０３ａ，１０３ｂによってラダー状に構成されている。
【００２１】
支柱１０２ａ，１０２ｂは、塀用パネル１００を設置する地面Ｇから垂直に延びて塀用パネル１００を支える主要部品であり、塀用パネル１００の横幅に対応する間隔を介して互いに平行に配置されている。本実施形態においては、支柱１０２ａ，１０２ｂは、５０ｍｍ×１００ｍｍ×１７００ｍｍのアルミニウム製の角パイプ材でそれぞれ構成されている。なお、図２においては、地面Ｇを二点鎖線で示している。
【００２２】
横桟１０３ａ，１０３ｂは、左右一対の支柱１０２ａ，１０２ｂを互いに連結して基本フレーム１０１を構成する部品であり、支柱１０２ａ，１０２ｂ間における上側および下側にそれぞれ架設されている。この場合、支柱１０２ａ，１０２ｂ間における上側に設けられえた横桟１０３ａは、後述する下地支持板１０７ａと下地支持板１０７ｂとの間でこれらにそれぞれ接触する位置に設けられている。
【００２３】
また、支柱１０２ａ，１０２ｂ間における下側に設けられた横桟１０３ｂは、塀用パネル１００を設置する地面Ｇと略同じ高さ方向の位置に配置されて塀用パネル１００を補強する。すなわち、支柱１０２ａ，１０２ｂにおける横桟１０３ｂより下側部分である脚部１０１ａが地面Ｇ下に埋設される部分である。本実施形態においては、横桟１０３ｂは、地面Ｇから２０ｍｍ〜３０ｍｍ下方に横桟１０３ｂの下面が位置する、換言すれば、横桟１０３ｂの上面が地面Ｇより若干（１０ｍｍ〜２０ｍｍ程度）下方に位置する位置に配置される。
【００２４】
これらの横桟１０３ａ，１０３ｂは、本実施形態においては、５００ｍｍ×１００ｍｍ×５０ｍｍのアルミニウム製の角パイプ材でそれぞれ構成されている。また、これらの横桟１０３ａ，１０３ｂは、支柱１０２ａ，１０２ｂに対してＬ字状の金具１０４を介してビスによって取り付けられている。この場合、金具１０５は、横桟１０３ａ，１０３ｂの各上面にそれぞれ取り付けられている。そして、この基本フレーム１０１の内側には、３つの発泡プラスチック体１０５ａ〜１０５ｃがそれぞれ設けられている。
【００２５】
発泡プラスチック体１０５ａ〜１０５ｃは、図４に示すように、後述する壁面パネル１０８を支持する部品であり、合成樹脂材料を発泡させて多孔質の板状に形成した所謂発泡スチロールでそれぞれ構成されている。この場合、発泡プラスチック体１０５ａ〜１０５ｃを構成する合成樹脂としては、ポリウレタン（ＰＵＲ）、ポリスチレン（ＰＳ）、ポリオレフィン（例えば、ポリエチレン（ＰＥ）やポリプロピレン（ＰＰ））、フェノール樹脂（ＰＦ）、ポリ塩化ビニル（ＰＶＣ）、ユリア樹脂（ＵＦ）、シリコーン（ＳＩ）、ポリイミド（ＰＩ）またはメラミン樹脂（ＭＦ）がある。
【００２６】
これらの発泡プラスチック体１０５ａ〜１０５ｃは、基本フレーム１０１を構成する支柱１０２ａ，１０２ｂの厚さ以下の厚さで基本フレーム１０１の内側領域内に嵌め込み可能な大きさに形成されている。これらのうち、発泡プラスチック体１０５ａは、郵便受けＰの取付面よりも若干大きな平面を有し、かつ支柱１０２ａ，１０２ｂの厚さから下地支持板１０７ｂの厚さを減じた厚さの方形の板状に形成されている。本実施形態においては、発泡プラスチック体１０５ａは、５００ｍｍ×９７ｍｍ×３００ｍｍの長形状の板状に形成されている。
【００２７】
また、発泡プラスチック体１０５ｂは、支柱１０２ａ，１０２ｂの厚さと同じ厚さで、かつ基本フレーム１０１における横桟１０３ａ，１０３ｂ間の領域に発泡プラスチック体１０５ａとともに嵌り込む方形の板状に形成されている。本実施形態においては、発泡プラスチック体１０５ｂは、５００ｍｍ×１００ｍｍ×７５０ｍｍの長形状の板状に形成されている。
【００２８】
また、発泡プラスチック体１０５ｃは、支柱１０２ａ，１０２ｂの厚さから下地支持板１０７ｂの厚さを減じた厚さで、かつ基本フレーム１０１における横桟１０３ａの上方の領域に嵌り込む方形の板状に形成されている。本実施形態においては、発泡プラスチック体１０５ｃは、５００ｍｍ×８８ｍｍ×３００ｍｍの長形状の板状に形成されている。なお、これらの発泡プラスチック体１０５ｂ，１０５ｃは、支柱１０２ａ，１０２ｂと横桟１０３ａ，１０３ｂとを互いに連結する金具１０４が位置する部分が金具１０４に対応する形状に切り欠いて形成されている。この場合、金具１０４が発泡プラスチック体１０５ｂ，１０５ｃ側に設けられているため、前記切欠き加工を下地支持板１０７ａに対して行う場合に比べて容易に加工を行うことができる。
【００２９】
発泡プラスチック体１０５ｃの上方には、下地笠木１０６が設けられている。下地笠木１０６は、支柱１０２ａ，１０２ｂの各上端部および発泡プラスチック体１０５ｃの上面をそれぞれ覆って塀用パネル１００の上端部を構成する部品であり、発泡プラスチック体１０５ａ〜１０５ｃと同様の発泡樹脂材によって構成されている。本実施形態においては、下地笠木１０６は、６００ｍｍ×１００ｍｍ×５０ｍｍの長尺の板状に形成されている。
【００３０】
下地支持板１０７ａは、郵便受けＰを支持するための板状の部品であり、アルミニウム板で構成されている。この下地支持板１０７ａは、基本フレーム１０１の内側に嵌り込む大きさに形成されている。本実施形態においては、下地支持板１０７ａは、５００ｍｍ×２.５ｍｍ×３００ｍｍの長形状の板状に形成されている。
【００３１】
下地支持板１０７ｂは、表札Ｎを支持するための板状の部品であり、アルミ複合板によって構成されている。この場合、アルミ複合板は、低発泡ポリスチレンシートなどからなる発泡プラスチックシートをアルミニウム板で挟んだ厚さが２ｍｍ〜３ｍｍのシート状の下地材である。本実施形態においては、下地支持板１０７ｂは、５００ｍｍ×３ｍｍ×３００ｍｍの長形状の板状のアルミ複合板を複数枚（３枚）重ねて構成されている。この下地支持板１０７ｂは、金具１０４が位置する部分が金具１０４に対応する形状に切り欠かれている。
【００３２】
塀用パネル１００の表側および裏側となる発泡プラスチック体１０５ａ〜１０５ｃの２つの壁面には、それぞれ壁面パネル１０８が設けられている。壁面パネル１０８は、発泡プラスチック体１０５ａ〜１０５ｃを保護するとともにモルタル層１１２の下地となる板状の部品であり、アルミ複合板によって構成されている。この壁面パネル１０８は、基本パネル１０１における脚部１０１ａより上方の部分、すなわち、地上に起立する部分を覆う形状、より具体的には、基本パネル１０１の幅と同じ幅で発泡プラスチック体１０５ａ〜１０５ｃおよび下地笠木１０６をそれぞれ覆うことができる方形の板状に形成されている。本実施形態においては、壁面パネル１０８は、６００ｍｍ×３ｍｍ×１５００ｍｍの長形状の板状に形成されている。
【００３３】
壁面パネル１０８の表面には、下地調整材層１１１、モルタル層１１２および塗装層１１３がそれぞれ形成されている。下地調整材層１１１は、壁面パネル１０８の表面にモルタル層１１２を精度良く定着させるための部分であり、例えば、カチオン系の接着剤によって構成されている。
【００３４】
モルタル層１１２は、塀用パネル１００の外表面の装飾を直接的または間接的に構成する部分であり、砂とセメントを混練したモルタルによって構成されている。ここで、塀用パネル１００の外表面の装飾には、凹凸で表した図形、文字または模様のほか、タイル、石、または木片を張り付けた装飾などがある。塗装層１１３は、塀用パネル１００の外表面の色彩的な装飾であり、モルタル層１１２の表面に塗布した塗料で構成されている。これらのモルタル層１１２および塗装層１１３は、塀用パネル１００の設置者である施主の好みに応じた態様で形成される。
【００３５】
（塀用パネル１００の製作）
次に、このように構成した塀用パネル１００の製作過程について説明する。塀用パネル１００を製作する作業者は、まず、基本フレーム１０１を組み立てる。具体的には、作業者は、図３に示すように、支柱１０２ａ，１０２ｂおよび横桟１０３ａ，１０３ｂをそれぞれ用意した後、これらを金具１０４を用いて互いに連結して基本フレーム１０１を組み立てる。
【００３６】
次に、作業者は、図５に示すように、基本フレーム１０１に発泡プラスチック体１０５ａ〜１０５ｃを嵌め込む。具体的には、作業者は、予め必要な形状に直接発泡成形した発泡プラスチック体１０５ａ〜１０５ｃ、または発泡プラスチック体１０５ａ〜１０５ｃよりも大きく発泡成形したブロック体から発泡プラスチック体１０５ａ〜１０５ｃを切り抜いて用意した後（図４参照）、これらの各発泡プラスチック体１０５ａ〜１０５ｃを基本フレーム１０１内に嵌め込んで配置する。この場合、作業者は、発泡プラスチック体１０５ａ〜１０５ｃを基本フレーム１０１に接着剤などを用いて固定してもよいし、単に嵌め込むのみで固定しなくてもよい。
【００３７】
次に、作業者は、基本フレーム１０１に下地笠木１０６を嵌め込む。具体的には、予め必要な形状に直接発泡成形した下地笠木１０６、または下地笠木１０６よりも大きく発泡成形したブロック体から下地笠木１０６を切り抜いて用意した後、発泡プラスチック体１０５ｃの上端部に接着剤を用いて接着固定する（図５参照）。
【００３８】
次に、作業者は、図６に示すように、下地支持板１０７ａ，１０７ｂを発泡プラスチック体１０５ａ，１０５ｃに取り付ける。具体的には、作業者は、下地支持板１０７ａを用意して発泡プラスチック体１０５ａに接着剤Ｓを用いて取り付けるとともに、下地支持板１０７ｂを用意して発泡プラスチック体１０５ｃに接着剤Ｓを用いて取り付ける。
【００３９】
次に、作業者は、図７に示すように、壁面パネル１０８を基本フレーム１０１に取り付ける。具体的には、作業者は、２枚の壁面パネル１０８をそれぞれ用意した後、これらの各壁面パネル１０８がそれぞれ貼り合わされる発泡プラスチック体１０５ａ〜１０５ｃの壁面の全面に接着剤Ｓを塗布する。この場合、発泡プラスチック体１０５ａ〜１０５ｃの壁面への接着剤Ｓの塗布は、厳密に全面に塗布することを意味するものではなく、後述するモルタル層１１２の損傷抑止の効果を発揮する程度に実質的に全面に塗布されていればよい。次いで、作業者は、各壁面パネル１０８を基本フレーム１０１、発泡プラスチック体１０５ａ〜１０５ｃおよび下地支持板１０７ａ，１０７ｂにそれぞれ対向配置してビスなどの固定具を用いて基本フレーム１０１に取り付ける。この場合、各壁面パネル１０８は、基本フレーム１０１における脚部１０１ａより上方に貼り付けられる。
【００４０】
これにより、各壁面パネル１０８は、発泡プラスチック体１０５ａ〜１０５ｃに対する隙間が接着剤Ｓで埋められた状態で基本フレーム１０１に取り付けられる。なお、作業者は、下地支持板１０７ａ，１０７ｂにも接着剤Ｓを塗布して各壁面パネル１０８を接着固定するようにしてもよいし、基本フレーム１０１に接着剤Ｓを塗布して各壁面パネル１０８を接着固定するようにしてもよい。
【００４１】
次に、作業者は、下地調整材層１１１、モルタル層１１２および塗装層１１３をそれぞれ形成する。具体的には、作業者は、下地調整材を用意した後、この下地調整材を基本フレーム１０１における下側の横桟１０３ｂを含む横桟１０３ｂより上方部分、具体的には、壁面パネル１０８、下地笠木１０６（上面および側面）および基本フレーム１０１の支柱１０２ａ，１０２ｂ（側面）の各全面に塗布することにより下地調整材層１１１を形成することができる。この場合、作業者は、鏝（こて）を用いて下地調整材を平らに塗って仕上げてもよいが、砂骨材ローラや櫛引器具などを使用して表面に凸凹を有して仕上げることによってモルタル層１１２の結合力を増大させることができる。
【００４２】
次いで、作業者は、モルタルを用意した後、このモルタルを前記下地調整材層１１１上の全面に塗布することによりモルタル層１１２を形成することができる。この場合、作業者は、モルタルを平滑に塗布して表面が平滑なモルタル層１１２を形成してもよいし、モルタルを凹凸を有するように塗布して表面に所望の模様や造形物などを有するモルタル層１１２を形成してもよい。
【００４３】
次いで、作業者は、塗料を用意した後、この塗料を前記モルタル層１１２上の全面または一部に塗布することにより塗装層１１３を形成することができる。この場合、作業者は、互いに異なる複数の色の塗料を塗布してもよい。また、作業者は、塗料に代えてまたは加えて透明な保護層を形成するコーティング材を塗布してもよい。
【００４４】
次に、作業者は、郵便受けＰおよび表札Ｎをそれぞれ取り付ける。具体的には、作業者は、郵便受けＰおよび取付ボルトをそれぞれ用意した後、この取付ボルトを下地調整材層１１１、モルタル層１１２および塗装層１１３をそれぞれ貫通させて下地支持板１０７ａに捩じ込むことでの郵便受けＰを下地支持板１０７ａに取り付ける。
【００４５】
また、作業者は、表札Ｎおよび取付ボルトをそれぞれ用意した後、この取付ボルトを下地調整材層１１１、モルタル層１１２および塗装層１１３をそれぞれ貫通させて下地支持板１０７ａに捩じ込むことでの表札Ｎを下地支持板１０７ｂに取り付ける。これにより、塀用パネル１００が完成する。なお、郵便受けＰおよび表札Ｎは、塀用パネル１００の施主の好みに応じて好みのデザインで取り付けられるものであるから、郵便受けＰおよび表札Ｎのうちの少なくとも一方が取り付けられないこともある。
【００４６】
（塀用パネル１００の設置）
次に、このように構成した塀用パネル１００の地面Ｇへの設置工程について説明する。塀用パネル１００を地面Ｇ上に設置する作業者は、まず、塀用パネル１００を用意する。次に、作業者は、地面Ｇにおける塀用パネル１００を設置する位置に穴を掘る。この場合、作業者は、基本フレーム１００における脚部１０１ａが埋設できる深さの１つまたは２つの穴を掘る。次に、作業者は、地面Ｇに掘った穴に基本フレーム１００における脚部１０１ａを挿し込んでセメントで埋めて固めることにより、塀用パネル１００の地面Ｇに設置することができる。
【００４７】
（塀用パネル１００の作動）
次に、このように構成した塀用パネル１００の作動について説明する。この塀用パネル１００は、地面Ｇ上に起立した状態で設けられることによって門柱（「門袖」ともいう）として機能する。ここで、門柱（「門袖」ともいう）は、建物の主として入り口前に設けられる扉のない柱状または壁状に起立する構造物である。
【００４８】
この場合、塀用パネル１００は、壁面パネル１０８が接着剤Ｓによって発泡プラスチック体１０５ａ〜１０５ｃに密着しているため発泡プラスチック体１０５ａ〜１０５ｃに向う方向および離隔する方向への変形が防止される。これにより、塀用パネル１００は、モルタル層１１２で構成される装飾を長期間に亘って損傷を抑制でき美観を維持できる。
【００４９】
上記作動説明からも理解できるように、上記実施形態によれば、塀用パネル１００は、予め板状に形成した発泡プラスチック体１０５ａ〜１０５ｃを左右一対の支柱１０２ａ，１０２ｂ間に壁面パネル１０８で両面から挟んだ状態で配置して構成しているため、従来技術における発泡樹脂の洩れや膨張を考慮する必要がない。このため、塀用パネルは、簡単に精度よく製作することができる。
【００５０】
さらに、本発明の実施にあたっては、上記実施形態に限定されるものではなく、本発明の目的を逸脱しない限りにおいて種々の変更が可能である。なお、下記各変形例において、上記実施形態と同様の構成部分については同じ符号を付して、その説明を省略する。
【００５１】
例えば、上記実施形態においては、左右一対の支柱１０２ａ，１０２ｂは横桟１０３ａ，１０３ｂとともに基本フレーム１０１を構成した。しかし、支柱１０２ａ，１０２ｂは、壁面パネル１０８によって連結されるため、必ずしも横桟１０３ａ，１０３ｂによって互いに連結されて基本フレーム１０１を構成する必要はない。
【００５２】
また、上記実施形態においては、壁面パネル１０８と発泡プラスチック体１０５ａ〜１０５ｃとを接着剤Ｓを介して全面接着固定した。これは、発泡プラスチック体１０５ａ〜１０５ｃの成形精度が低く所望する寸法に対する誤差を接着剤Ｓによって吸収するためである。したがって、発泡プラスチック体１０５ａ〜１０５ｃの成形精度が高い場合や、壁面パネル１０８と発泡プラスチック体１０５ａ〜１０５ｃとの間の隙間が問題とならない場合には、必ずしも壁面パネル１０８と発泡プラスチック体１０５ａ〜１０５ｃとを接着剤Ｓを用いて全面接着固定する必要はなく、部分的な接着固定や接着固定自体を省略することもできる。
【００５３】
また、上記実施形態においては、塀用パネル１００は、下地支持板１０７ａ，１０７ｂを備えて構成した。しかし、下地支持板１０７ａ，１０７ｂは、郵便受けＰや照明器具などの外付け物を支持するための部品であるため、郵便受けＰや照明器具などの外付け物が不要の場合には省略することができる。この場合、発泡プラスチック体１０５ａ，１０５ｃは、支柱１０２ａ，１０２ｂの厚さと同じ厚さに形成することができる。なお、郵便受けＰは、例えば、図８に示すように、塀用パネル１００の内部に埋め込んで設けることもできる。
【００５４】
また、上記実施形態においては、塀用パネル１００は、発泡プラスチック製の下地笠木１０６を備えて構成した。これにより、塀用パネル１００は、塀用パネル１００の上端部の重量化を抑えて塀用パネル１００を倒壊し難くすることができる。また、塀用パネル１００は、下地笠木１０６に対して小鳥や花を模した装飾物を金属製の針を突き刺すなどの方法によって容易に取り付けることができるため、塀用パネル１００を設置した施主自身で装飾物を取り付けて施主自身の好みの装飾を行うことができる。
【００５５】
しかし、塀用パネル１００は、発泡プラスチック材に代えて金属製の板材や棒材で構成することができる。これにより、塀用パネル１００は、例えば、図９に示すように、金属製の下地笠木１０６に郵便受けＰを固定することにより、塀用パネル１００の上面に郵便受けＰを設けることもできる。
【００５６】
また、下地笠木１０６は、直線的に延びる棒状以外の形状に形成することもできる。例えば、下地笠木１０６は、図８に示すように、円弧状に湾曲するアーチ状に形成できるとともに、図９に示すように、上方に向かって段差などの凹凸を有した形状に形成することもできる。なお、塀用パネル１００は、下地笠木１０６を省略して構成することもできる。
【００５７】
また、上記実施形態においては、塀用パネル１００は、３つの発泡プラスチック体１０５ａ〜１０５ｃを備えて構成した。しかし、発泡プラスチック体１０５ａ〜１０５ｃは、少なくとも１つ（つまり、一枚板）で構成されていればよく、必ずしも複数で構成されている必要はない。また、発泡プラスチック体１０５ａ〜１０５ｃは、例えば、図９に示すように、一部に貫通孔１０５ｄなどの装飾を設けて構成することもできる。
【００５８】
また、上記実施形態においては、塀用パネル１００は、外表面を石調に形成した。しかし、塀用パネル１００の外観デザインは、施主の好みに応じて自由に形成できるものである。したがって、塀用パネル１００は、例えば、図８に示すように、塗り壁調に形成するとともにその一部（上端側および下端側）にレンガ調タイルを貼り付けて構成することができるとともに、図９に示すように、木調で構成することもできる。すなわち、塀用パネル１００の装飾、形状および大きさは、施主の好みに応じて適宜決定されるものであり、上記実施形態に限定されるものではない。
【符号の説明】
【００５９】
Ｇ…地面、Ｐ…郵便受け、Ｎ…表札、Ｓ…接着剤、
１００…塀用パネル、
１０１…基本フレーム、１０１ａ…脚部、１０２ａ，１０２ｂ…支柱、１０３ａ，１０３ｂ…横桟、１０４…金具、１０５ａ〜１０５ｃ…発泡プラスチック体、１０５ｄ…貫通孔、１０６…下地笠木、１０７ａ，１０７ｂ…下地支持板、１０８…壁面パネル、
１１１…下地調整材層、１１２…モルタル層、１１３…塗装層。
【図１】
2017066601.tif 000003
【図２】
2017066601.tif 000004
【図３】
2017066601.tif 000005
【図４】
2017066601.tif 000006
【図５】
2017066601.tif 000007
【図６】
2017066601.tif 000008
【図７】
2017066601.tif 000009
【図８】
2017066601.tif 000010
【図９】
2017066601.tif 000011